(57)【要約】本発明は、折り畳み式シート製品（２）を開示しており、この製品は、第一の組をなす複数の折り目（１０，２）と、シートの区画に付着されているブリスターストリップ（４）とを有する折り畳み式シート（３）を備える。硬質部（４，６）がシートの角部にある区画に設けられ得る。
2004502981.tif 000002
【特許請求の範囲】
【請求項１】
第一の組をなす複数の折り目と、折り畳み式シートの１つの区画に付着されたブリスターストリップとを有する折り畳み式シートからなる折り畳み式シート製品。
【請求項２】
ブリスターストリップは前記シートの角部にある区画又はその近傍に設けられる、請求項１に記載の折り畳み式シート製品。
【請求項３】
ブリスターストリップはシートの１つの区画に付着される、請求項１又は２のいずれか１項に記載の折り畳み式シート製品。
【請求項４】
ブリスターストリップは接着剤によって１つの区画に付着される、請求項３に記載の折り畳み式シート製品。
【請求項５】
ブリスターストリップはカバーシート及び基材からなり、かつブリスターストリップの前記基材は前記折り畳み式シートに付着される、請求項３又は４のいずれか１項に記載の折り畳み式シート製品。
【請求項６】
ブリスターストリップの前記基材は前記シートの１つの区画によって提供される、請求項３又は４のいずれか１項に記載の折り畳み式シート製品。
【請求項７】
ブリスターストリップが付着されているシートの前記区画がミシン目を有する、請求項３〜６のいずれか１項に記載の折り畳み式シート製品。
【請求項８】
前記ミシン目はブリスターストリップのカバーシート凹部の開口部の位置と対応している、請求項３〜９のいずれか１項に記載の折り畳み式シート製品。
【請求項９】
前記ミシン目がほぼＸの形状をなし得る、請求項８又は９のいずれか１項に記載の折り畳み式シート製品。
【請求項１０】
ブリスターストリップが付着されている前記シートの区画は少なくとも１つの切り取り領域を備える、請求項３〜９のいずれか１項に記載の折り畳み式シート製品。
【請求項１１】
前記少なくとも１つの切り取り領域はブリスターストリップのカバーシート凹部の開口部の位置と対応している、請求項１０に記載の折り畳み式シート製品。
【請求項１２】
前記１つ以上のミシン目と切り取り領域との少なくともいずれかによって画定される少なくとも１つの開口部は、ブリスターストリップ凹部の前記少なくとも１つの開口部の寸法にほぼ対応する寸法を有する、請求項７〜１１のいずれか１項に記載の折り畳み式シート製品。
【請求項１３】
ブリスターストリップの前記１つ以上の凹部の各々に対して単一の切り取り領域とミシン目付きの部分との少なくともいずれかが提供される、請求項７〜１２のいずれか１項に記載の折り畳み式シート製品。
【請求項１４】
ブリスターストリップの複数の凹部に対して、単一の切り取り領域とミシン目付きの部分との少なくともいずれかが提供される、請求項７〜１２のいずれか１項に記載の折り畳み式シート製品。
【請求項１５】
本発明による折り畳み式シート製品は硬質部をさらに有する、請求項１〜１４のいずれか１項に記載の折り畳み式シート製品。
【請求項１６】
前記硬質部は前記折り畳み式シートの１つの区画に付着される、請求項１５に記載の折り畳み式シート製品。
【請求項１７】
前記硬質部はブリスターストリップによって提供される、請求項１５又は１６のいずれか１項に記載の折り畳み式シート製品。
【請求項１８】
ブリスターストリップはカバーシート及び基材からなり、かつブリスターストリップの基材は前記硬質部に付着される、請求項１５〜１７のいずれか１項に記載の折り畳み式シート製品。
【請求項１９】
前記硬質部の端部がブリスターストリップの端部に付着される、請求項１５〜１９のいずれか１項に記載の折り畳み式シート製品。
【請求項２０】
前記硬質部は、ブリスターストリップとほぼ同一の大きさ又は形状を有する、請求項１５〜１９のいずれか１項に記載の折り畳み式シート製品。
【請求項２１】
硬質部及びブリスターストリップの少なくともいずれかは、それらの間の付着のために、前記端部に沿って延びている突縁部を有する、請求項１５〜２０のいずれか１項に記載の折り畳み式シート製品。
【請求項２２】
前記突縁部は硬質部から延び、ブリスターストリップに直接付着される、請求項２１に記載の折り畳み式シート製品。
【請求項２３】
前記突縁部は硬質部から延び、前記硬質部の前記突縁部はブリスターストリップに間接的に付着される、請求項２１に記載の折り畳み式シート製品。
【請求項２４】
前記突縁部はブリスターストリップから延び、前記硬質部に直接付着される、請求項２１に記載の折り畳み式シート製品。
【請求項２５】
前記突縁部はブリスターストリップから延び、ブリスターストリップの前記突縁部は前記硬質部に間接的に付着される、請求項２１に記載の折り畳み式シート製品。
【請求項２６】
前記突縁部は、硬質部からブリスターストリップを容易に除去できるように、同突縁部の全長にわたって延びる脆弱線を有する、請求項２１〜２５のいずれか１項に記載の折り畳み式シート製品。
【請求項２７】
前記突縁部と硬質部との間、及び突縁部と該突縁部がそこから延伸しているブリスターストリップの端部とのいずれかに折り線が設けられている、請求項２１〜２７のいずれか１項に記載の折り畳み式シート製品。
【請求項２８】
前記突縁部は硬質部及びブリスターストリップの少なくともいずれかの延長部である、請求項２１〜２７のいずれか１項に記載の折り畳み式シート製品。
【請求項２９】
前記突縁部は別の硬質部を形成する、請求項２８に記載の折り畳み式シート製品。
【請求項３０】
前記突縁部は硬質部の端部とブリスターストリップとの少なくともいずれかに付着されたタブとして提供される、請求項２１〜２７のいずれか１項に記載の折り畳み式シート製品。
【請求項３１】
ブリスターストリップは硬質部に対して平らに横たわるように配置される、請求項１５〜３０のいずれか１項に記載の折り畳み式シート製品。
【請求項３２】
ブリスターストリップの端部は硬質部の端部に付着され、かつブリスターストリップが硬質部に対して折り畳まれた状態に維持されるように、ブリスターストリップの少なくとも１つの自由端が留め具手段によって硬質部の対応する端部に固定される、請求項３１に記載の折り畳み式シート製品。
【請求項３３】
前記留め具手段は硬質部に対してブリスターストリップの前記少なくとも１つの自由端を一時的に固定する、請求項３２に記載の折り畳み式シート製品。
【請求項３４】
ブリスターストリップの固定を解除し、その後再度ブリスターストリップを固定して硬質部に対して折り畳まれている状態にすることが可能となるように、前記留め具手段は再使用可能である、請求項３３に記載の折り畳み式シート製品。
【請求項３５】
硬質部の対応する端部からブリスターストリップの端部を容易に除去できるように、前記突縁部が脆弱線を有する、請求項１５に記載の折り畳み式シート製品。
【請求項３６】
カバーシートが硬質部に隣接し、或いは基材が硬質部に隣接するように、ブリスターストリップは、硬質部に相対的に配置される、請求項１５〜３５のいずれか１項に記載の折り畳み式シート製品。
【請求項３７】
前記硬質部は、前記シートの角部にある区画又はその近傍に設けられる、請求項１５〜３６のいずれか１項に記載の折り畳み式シート製品。
【請求項３８】
１つの硬質部及び別個のブリスターストリップは、前記シートの対角線上にてほぼ対向する角部に位置している、請求項１５〜３７のいずれか１項に記載の折り畳み式シート製品。
【請求項３９】
前記硬質部は同硬質部を別個の硬質部の区画に区切っている、少なくとも１つの折り目を有する、請求項１５〜３８のいずれか１項に記載の折り畳み式シート製品。
【請求項４０】
前記少なくとも１つの折り目は前記硬質部の端部と平行である、請求項３９に記載の折り畳み式シート製品。
【請求項４１】
前記硬質部は複数の折り目からなり、かつ該複数の折り目は互いに平行である、請求項３９又は４０のいずれか１項に記載の折り畳み式シート製品。
【請求項４２】
前記複数の折り目は折り畳まれたときに背を形成する、請求項４１に記載の折り畳み式シート製品。
【請求項４３】
第二硬質部を備える、請求項１５〜４２のいずれか１項に記載の折り畳み式シート製品。
【請求項４４】
前記第二硬質部は前記シートの角部にある区画又はその近傍に設けられる、請求項４３に記載の折り畳み式シート製品。
【請求項４５】
前記第二硬質部は、前記シートの１つの区画に位置し、該区画は前記第一硬質部が設けられる区画と対角線上にて対向している、請求項４４に記載の折り畳み式シート製品。
【請求項４６】
前記第二硬質部は第二ブリスターストリップによって提供される、請求項４３〜４５のいずれか１項に記載の折り畳み式シート製品。
【請求項４７】
硬質部はシートの残りの部分よりも硬くなるように加工されたシートの１つの区画によって提供される、請求項１５〜４６のいずれか１項に記載の折り畳み式シート製品。
【請求項４８】
シートが折り畳まれた状態のときに、ブリスターストリップは、同シートの外側カバーを提供する、請求項１〜４７のいずれか１項に記載の折り畳み式シート製品。
【請求項４９】
２つの硬質部を備え、シートが折り畳まれた状態のときに、前記２つの硬質部がいずれも、前記シートのカバーを提供する、請求項４６又は４７のいずれか１項、或いは又は４６又は４７のいずれか１項に従属する場合は請求項４８に記載の折り畳み式シート製品。
【請求項５０】
折り畳まれた状態のときに折り畳み式シートにフリップ式のカバーが提供されるように、１つの硬質部が折り目を備え得る、請求項１５に記載の折り畳み式シート製品。
【請求項５１】
前記カバーはシートを折り畳まれた状態に保持するための封止手段を備える、請求項５０に記載の折り畳み式シート製品。
【請求項５２】
前記第一の組をなす複数の折り目はアコーディオン式の折り目の組である、請求項１〜５１のいずれか１項に記載の折り畳み式シート製品。
【請求項５３】
前記第一の組をなす複数の折り目は折り畳み式シートを一列の複数の区画の形状にする、請求項５２に記載の折り畳み式シート製品。
【請求項５４】
折り畳み式シート材料は第二の組をなす複数の折り目をさらに備え、前記第二の組をなす複数の折り目はシートが折り畳まれた状態のときに、前記第一の組をなす複数の折り目と交差する、請求項５２又は５３のいずれか１項に記載の折り畳み式シート製品。
【請求項５５】
前記第二の組をなす複数の折り目はアコーディオン式の折り目の組からなる、請求項５４に記載の折り畳み式シート製品。
【請求項５６】
前記第二の組をなす複数の折り目は偶数個の折り目を有する、請求項５４又は５５のいずれか１項に記載の折り畳み式シート製品。
【請求項５７】
前記第一の組をなす複数の折り目は奇数個の折り目を有する、請求項１〜５６のいずれか１項に記載の折り畳み式シート製品。
【請求項５８】
折り畳み式シートは列をなす複数の区画を有し、前記硬質部は、同折り畳み式シートの１つの末端の区画に適切に設けられる、請求項１〜５７のいずれか１項に記載の折り畳み式シート製品。
【請求項５９】
前記硬質部は折り畳み式前記シートの角部にある区画に適切に設けられる、請求項５４に記載の折り畳み式シート製品。
【請求項６０】
前記硬質部は折り畳まれたときにシートの外側に位置する、請求項１５に記載の折り畳み式シート製品。
【請求項６１】
硬質部は間にブリスターストリップの少なくとも一部を挟むための第一の領域及び第二の領域からなる、請求項１５に記載の折り畳み式シート製品。
【請求項６２】
前記硬質部の第一の領域及び第二の領域はほぼ同じ大きさを有する、請求項６１に記載の折り畳み式シート製品。
【請求項６３】
前記硬質部の第一の領域は同領域が付着されるシートの前記区画と少なくとも同じ大きさを有する、請求項６１又は６２のいずれか１項に記載の折り畳み式シート製品。
【請求項６４】
前記硬質部の第二の領域はブリスターストリップを前記硬質部の第一の領域に付着する、請求項６１〜６３のいずれか１項に記載の折り畳み式シート製品。
【請求項６５】
前記第一の領域及び第二の領域は単一の要素によって提供され、かつ折り線によって互いに区切られている、請求項６１〜６４のいずれか１項に記載の折り畳み式シート製品。
【請求項６６】
前記折り畳み式シートは硬質部の一方の面に付着され、ブリスターストリップは同硬質部の他方の面に付着される、請求項１５に記載の折り畳み式シート製品。
【請求項６７】
前記第一の領域及び前記第二の領域は第一硬質部を備え、前記製品は、折り畳み式シートが付着されている第二硬質部を有する、請求項６１〜６６のいずれか１項に記載の折り畳み式シート製品。
【請求項６８】
前記第二硬質部は前記第一硬質部の第一の領域に付着される、請求項６７に記載の折り畳み式シート製品。
【請求項６９】
前記第二硬質部は前記第一硬質部の第二の領域に付着される、請求項６７に記載の折り畳み式シート製品。
【請求項７０】
前記第二硬質部はさらに別の折り目によって前記第一硬質部から区切られている、請求項６７〜６９のいずれか１項に記載の折り畳み式シート製品。
【請求項７１】
ブリスター包装体を覆うためのカバー部が提供される、請求項１〜７０のいずれか１項に記載の折り畳み式シート製品。
【請求項７２】
前記カバー部は硬質部からなる、請求項７１に記載の折り畳み式シート製品。
【請求項７３】
前記折り畳み式シートが第一硬質部に設けられ、前記ブリスター包装体が第二硬質部に設けられ、前記カバー部は第三硬質部である、請求項７１又は７２のいずれか１項に記載の折り畳み式シート製品。
【請求項７４】
前記硬質部は折り畳み可能に連結されている、請求項７３に記載の折り畳み式シート製品。
【請求項７５】
前記第一硬質部は第二硬質部及び第三硬質部の間にあり、これによって、前記第二硬質部が折り畳み式シートの上に折り畳まれ、かつ前記第三硬質部が、前記第二硬質部の少なくとも一部を覆うことが可能となる、請求項７４に記載の折り畳み式シート製品。
【請求項７６】
前記第三硬質部の一部は第二の部分に付着される、請求項７３〜７５のいずれか１項に記載の折り畳み式シート製品。
【請求項７７】
前記第二の部分に付着されている前記第三の部分の一部は、前記第三の部分の別の一部に着脱自在に連結され、これにより、前記第三硬質部の付着された部分を残りの部分から、前記第三硬質部に付着された一部を分離することによって、前記ブリスター包装体を利用できるようになる、請求項７６に記載の折り畳み式シート製品。
【請求項７８】
留め具手段が、前記第二硬質部及び前記第三硬質部の舌状部とスロットとの構造物によって提供され得る、請求項７３〜７７のいずれか１項に記載の折り畳み式シート製品。
【請求項７９】
前記舌状部は前記第三硬質部上にあり、かつ前記スロットは前記第二硬質部上にある、請求項７８に記載の折り畳み式シート製品。
【請求項８０】
前記第三硬質部の付着された部分を残りの部分から除去することによって前記舌状部が提供される、請求項７７に従属する場合における請求項７８又は７９のいずれか１項に記載の折り畳み式シート製品。
【請求項８１】
前記硬質部の第二の領域は少なくとも１つの開口部をその中に適切に有する、請求項６１に記載の折り畳み式シート製品。
【請求項８２】
ブリスターストリップが硬質部に付着されている場合に、硬質部の前記第二の領域にある開口部はブリスターストリップ凹部を収容するように構成される、請求項８１に記載の折り畳み式シート製品。
【請求項８３】
前記第二の領域はブリスターストリップの１つの凹部を収容することに適した大きさを各々有する複数の開口部を有する、請求項６１に記載の折り畳み式シート製品。
【請求項８４】
前記第二の領域はブリスターストリップの複数の凹部を収容することに適した大きさの少なくとも１つの開口部を有し得る、請求項６１に記載の折り畳み式シート製品。
【請求項８５】
硬質部の前記第二の領域内の前記開口部はブリスターストリップ凹部の形状に対応する形状を有する、請求項８３又は８４のいずれか１項に記載の折り畳み式シート製品。
【請求項８６】
前記第二の領域はブリスターストリップ凹部と凹部の間に少なくとも１つの分割体を設け得る、請求項８１に記載の折り畳み式シート製品。
【請求項８７】
前記１つ以上の分割体の各々はブリスターストリップ凹部の横列又は縦列の少なくともいずれかを区切るように形成される、請求項８６に記載の折り畳み式シート製品。
【請求項８８】
前記第一の領域は少なくとも１つの切り取り領域を有し、該切り取り領域はブリスターストリップに付着されたときに、前記ブリスターストリップのカバーシート凹部の開口部の位置と対応する、請求項７１に記載の折り畳み式シート製品。
【請求項８９】
前記第一の領域は前記ブリスターストリップ凹部の開口部と開口部の間に少なくとも１つの分割体を設ける、請求項８８に記載の折り畳み式シート製品。
【請求項９０】
前記１つ以上の分割体の各々は、ブリスターストリップ凹部の開口部の横列又は縦列の少なくともいずれかを区切る、請求項８８又は８９のいずれか１項に記載の折り畳み式シート製品。
【請求項９１】
硬質部がミシン目を備える、請求項７１に記載の折り畳み式シート製品。
【請求項９２】
前記ミシン目は、ブリスターストリップに付着されたときに、該ブリスターストリップのカバーシート凹部の開口部の位置と対応する、請求項９１に記載の折り畳み式シート製品。
【請求項９３】
硬質部に封止手段が設けられており、該封止手段は、第一硬質部の上に折り畳まれる位置に第二硬質部を固定するように配置される、請求項６７に記載の折り畳み式シート製品。
【請求項９４】
少なくとも第一の組をなす複数の折り目と、シートの区画にある硬質部とを有する折り畳み式シートからなる折り畳み式シート製品であって、前記硬質部は、該硬質部の少なくとも一部を除去することによって形成可能な舌状部を備え、前記一部は、破断可能部分によって前記舌状部から切り離される、折り畳み式シート製品。
【請求項９５】
前記破断可能部分は硬質部の脆弱体によって形成される、請求項９４に記載の折り畳み式シート製品。
【請求項９６】
前記脆弱体はミシン目によって形成される、請求項９５に記載の折り畳み式シート製品。
【請求項９７】
第一の組をなす複数の折り目と、折り畳み式シートの周りにシール可能なカバーを形成している硬質部とを有する折り畳み式シートを備え、かつ改ざん防止機能をさらに備える、折り畳み式シート製品。
【請求項９８】
前記改ざん防止機能は、シール可能なカバーを有し、これによって、前記シールの破損が可視的となる、請求項９７に記載の折り畳み式シート製品。
【請求項９９】
製品を開封するために、前記カバーの一部が該カバーの他の部分から分離可能である、請求項９７又は９８のいずれか１項に記載の折り畳み式シート製品。
【請求項１００】
前記ブリスター包装体を覆うためのカバー部が提供されている、請求項９７〜９９のいずれか１項に記載の折り畳み式シート製品。
【請求項１０１】
前記カバー部はさらに別の硬質部を備える、請求項１００に記載の折り畳み式シート製品。
【請求項１０２】
前記折り畳み式シートが第一硬質部に設けられ、前記ブリスター包装体が第二硬質部に設けられ、前記カバー部は第三硬質部である、請求項９７乃至１０１のいずれか１項に記載の折り畳み式シート製品。
【請求項１０３】
前記硬質部は折り畳み可能に連結されている、請求項１０２に記載の折り畳み式シート製品。
【請求項１０４】
前記第一硬質部は、前記第二硬質部と第三硬質部との間にあり、これによって、前記第二硬質部は、前記折り畳み式シートの上に折り畳まれ、かつ前記第三硬質部が、前記第二硬質部の少なくとも一部を覆うことが可能となる、請求項１０３に記載の折り畳み式シート製品。
【請求項１０５】
前記第三の部分の一部が、前記第二の部分に付着される、請求項１０２〜１０４のいずれか１項に記載の折り畳み式シート製品。
【請求項１０６】
前記第二の部分に付着されている前記第三の部分の一部は、同第三の部分の別の一部に着脱自在に連結されている、請求項１０５に記載の折り畳み式シート製品。
【請求項１０７】
前記第三硬質部の付着された部分を残りの部分からミシン目により分離することによって、前記ブリスター包装体を利用できるようになる、請求項１０６に記載の折り畳み式シート製品。
【発明の詳細な説明】
【０００１】
（発明の分野）
本発明は、折り畳まれた状態、或いは展開された状態の折り畳み式シート製品に関する。
【０００２】
（背景）
アコーディオン式の折り目の第一の組及び第二の組を有する折り畳み式シートからなる製品が、欧州特許第ＥＰ−Ａ−２８８　４７２号によって公知となっている。この製品では、この２つの折り目の組が互いに交差している。シートの対角線上にて対向する角部に位置する区画に硬質部を設けることによって、シート材料の展開、再折り畳みを容易に行なえるようになる。
【０００３】
医薬品メーカーは、自社が販売している製品、特に処方箋なしで販売可能な包装済みの製品に関する製品情報を提供する必要がある。製品の用法、用量、製品の副作用、非常時の対処法などを購入者が知ることができるため、この製品情報は重要である。
【０００４】
この種の製品情報は一般に、リーフレットの形で製品のパッケージの中に同梱されている。この種の製品にまつわる問題として、リーフレットに記載されている製品情報を消費者がほとんど読まないという問題がある。また、リーフレットはパッケージの中に押し込まれたままとなり、製品をパッケージから取り出した後に、パッケージとともに廃棄されることが多い。さらに、包装工程の自動化、高速化に伴い、製品に誤ったリーフレットが添付されてしまうことがある。
【０００５】
シャンプー、保湿クリーム、化粧品、インスタントコーヒー、人口甘味料、園芸用の種子など、医薬品以外の製品のメーカーも、ブリスターストリップを使用して自社製品のサンプルを宣伝目的で配布することが多い。この方式には、たとえ製品情報を提供できるとしても、限られた製品情報のみしかブリスターストリップの上に表示できないという不都合がある。
【０００６】
本発明の好適な実施形態の目的は、ここに挙げた問題、挙げていない問題にかかわらず、先行技術に付随する問題を解決することにある。
（発明の概要）
「シート」との用語は、本明細書に特段の断りのない限り、折り目が消失することなくシートの展開が可能で、かつ再折り畳みが可能な折り目を有する材料一般をいう。シートは、紙、書籍の印刷に通常用いられるプラスチックシートなどの紙に類似した材料、非常に薄いカード、又は他の適切な材料であり得る。シート材料は、折り目以外は堅いカード（紙又は布によって繋がれている非常に薄く堅いカードなど）であることが考えられるが、この材料では、後述する本発明の利点が完全に実現できないと判断されている。
【０００７】
本発明は、第一の折り目と、シートの１つの区画に付着されたブリスターストリップとを有する折り畳み式シートからなる折り畳み式シート製品を提供する。
「ブリスターストリップ」との用語は、本明細書に特段の断りのない限り、カバーシートと基材からなるパッケージ方式を指す。カバーシートは、製品を収容可能な凹部を少なくとも１つ有する。基材は、凹部の開口部を蔽うことによって凹部の内部に製品を封入するようにカバーシートに付着されている。基材は通常、ホイル材料又はフィルム材料からなり、これらホイル材料又はフィルム材料は、凹部の外面を内側に押すことによって、容易に破断し（すなわち破れ）、製品を取り出すことができる。しかし、基材は容易に破断しなくともよく、このような場合、基材又はカバーシートは、凹部の部分を切り取るか又は割くことで、製品を取り出せなければならない。
【０００８】
ブリスターストリップは、折り畳み式シートに直接又は間接的に付着され得る。
ブリスターストリップは、好適にはシートの角部にある区画又はその近傍に設けられる。シートが１ 列の区画ならなる場合、ブリスターストリップは、列の末尾の区画に適切に設けられる。
【０００９】
ブリスターストリップは、接着剤などの適切な任意の手段によってシートの１つの区画に付着され得る。ブリスターストリップは、ヒートシールによってシートの１つの区画に付着されることがある。
【００１０】
ブリスターストリップの基材は、折り畳み式シートに付着され得る。別法として、ブリスターストリップの基材は、シートの１つの区画によって提供されることがある。
【００１１】
好適にはブリスターストリップが付着されているシートの区画はミシン目を有する。ミシン目は、ブリスターストリップから製品を容易に取り出し可能であるように配置されている。ミシン目は、好適にはブリスターストリップのカバーシート凹部の開口部の位置と対応している。ミシン目は、ほぼＸの形状をなすものでもよい。
【００１２】
別法として、或いは上記に加えて、ブリスターストリップが付着されているシートの区画は、少なくとも１つの切り取り領域からなるものでもよい。同少なくとも１つの切り取り領域は、ブリスターストリップのカバーシート凹部の開口部の位置と適切に一致する。
【００１３】
１つ以上のミシン目と切り取り領域との少なくともいずれかは、円形や矩形などの適切な形状を有する開口部をシートに画定し得る。好適には１つ以上のミシン目と切り取り領域との少なくともいずれかによって画定される少なくとも１つの開口部は、ブリスターストリップ凹部の少なくとも１つの開口部の寸法にほぼ対応する寸法を有する。ブリスターストリップの１つ以上の凹部の各々に対して、単一の切り取り領域とミシン目付きの部分との少なくともいずれかが提供され得る。別法として、ブリスターストリップの複数の凹部に対して、単一の切り取り領域とミシン目付きの部分との少なくともいずれかが提供されることもある。
【００１４】
本発明による折り畳み式シート製品は、好適には硬質部をさらに有する。同硬質部は、好適には折り畳み式シートの１つの区画に付着される。硬質部は、ブリスターストリップによって提供され得る。
【００１５】
別法として、硬質部が、ブリスターストリップとは別体であってもよい。硬質部がブリスターストリップと別体である場合、硬質部は、ブリスターストリップに付着されてもよく、或いはシートの別の区画に付着されてもよい。
【００１６】
ブリスターストリップの基材は、硬質部に付着され得る。別法として、硬質部の端部がブリスターストリップの端部に付着されることもある。
硬質部は、好適にはブリスターストリップとほぼ同一の大きさ又は形状を有する。
【００１７】
硬質部の端部は、適切な任意の手段によってブリスターストリップの端部に付着され得る。例えば、硬質部及びブリスターストリップの少なくともいずれかは、それらの間の付着のために、端部に沿って延びている突縁部を有し得る。突縁部は、端部の大部分、又は端部の全長に沿って延びることがある。
【００１８】
突縁部が硬質部から延びる場合、同突縁部は、ブリスターストリップに直接付着され得る。別法として、硬質部の突縁部は、ブリスターストリップに間接的に付着されることがある。ブリスターストリップも突縁部を有していてもよく、同突縁部には硬質部の突縁部が直接に又は間接的に付着される。
【００１９】
突縁部がブリスターストリップから延びている場合、同突縁部は、硬質部に直接付着され得る。別法として、ブリスターストリップの突縁部は、硬質部に間接的に付着されることもある。
【００２０】
突縁部は接着剤などの適切な任意の手段によって、硬質部及びブリスターストリップの少なくともいずれかに付着され得る。
突縁部は、硬質部からブリスターストリップを容易に除去できるように、同突縁部の全長にわたって延びるミシン目付きの切取線などの脆弱線を有し得る。
【００２１】
突縁部と硬質部との間、及び突縁部と同突縁部がそこから延伸しているブリスターストリップの端部とのいずれかに好適には折り線が設けられている。
ブリスターストリップは、好適には硬質部に対して平らに横たわるように配置可能である。
【００２２】
突縁部は、硬質部及びブリスターストリップの少なくともいずれかの延長部であり、この突縁部が別の硬質部を形成していてもよい。別法として、突縁部は、硬質部及びブリスターストリップの少なくともいずれかの端部に付着されたタブとして提供されることもある。
【００２３】
ブリスターストリップの端部が硬質部の端部に付着されたら、ブリスターストリップが硬質部に対して折り畳まれた状態に維持されるように、少なくとも１つのブリスターストリップの自由端が留め具手段によって硬質部の対応する端部に固定され得る。同留め具手段は、好適には硬質部に対してブリスターストリップの上記少なくとも１つの自由端を一時的に固定する。ブリスターストリップの固定を解除し、その後再度ブリスターストリップを固定して硬質部に対して折り畳まれている状態にすることが可能となるように、留め具手段は再使用可能である。
【００２４】
後述するように、適切な留め具手段は英国特許第２２６３８８５号に開示されている。
ブリスターストリップは、複数の端部において硬質部に付着され得る。好適にはブリスターストリップの対向する端部は、対応する硬質部の対向している端部に付着される。好適には硬質部の対応する端部からブリスターストリップの端部を容易に除去できるように、少なくとも１つの突縁部が脆弱線を有する。
【００２５】
カバーシートが硬質部に隣接するように、又は基材が硬質部に隣接するように、ブリスターストリップは、硬質部に相対的に配置され得る。
硬質部は、好適にはシートの角部にある区画又はその近傍に設けられる。シートが単一の区画の列からなる場合、硬質部は、この列の末端の区画に適切に設けられる。
【００２６】
好適には硬質部及び別体のブリスターストリップは、シートの対角線上にてほぼ対向する角部に位置する。
硬質部は、硬質部を別個の硬質部の区画に区切っている、少なくとも１つの折り目を有し得る。同少なくとも１つの折り目は、好適には硬質部の端部と平行である。硬質部が複数の折り目を有する場合、この複数の折り目は互いに平行である。複数の折り目は、好適には折り畳まれたときに背を形成する。
【００２７】
本発明による折り畳み式シートは、第二硬質部を備え得る。同第二硬質部は、好適にはシートの角部にある区画又はその近傍に設けられる。第二硬質部は、好適にはシートの１つの区画に設けられ、この区画は、第一硬質部が設けられる区画と対角線上にて対向している。
【００２８】
上記の第二硬質部は、第二ブリスターストリップによって提供され得る。
硬質部は、シートの残りの部分よりも硬くなるように加工されたシートの区画によって提供され得る。例えば、この区画は、ＵＶ硬化樹脂に浸漬され、その後硬化されて硬質部を提供してもよい。
【００２９】
好適にはシートが折り畳まれた状態のときに、ブリスターストリップは、シートの外側カバーを提供する。折り畳み式シート材料に硬質部を有する場合、シートが折り畳まれた状態のときに、同硬質部はシートの外側カバーを適切に提供する。
【００３０】
本発明による折り畳み式シートが２つの硬質部を有する場合、シートが折り畳まれた状態のときに、同硬質部の両方がシートのカバーを適切に提供する。
硬質部は、本のカバーと同様に、折り畳まれた状態のときに折り畳み式シートにフリップ式のカバーが提供されるように、折り目を備え得る。この折り目は、フリップ式のカバーを設けるために、対応する端部に沿って互いに連結されている２つの硬質部によって設けられてもよい。別法として、フリップ式のカバーは、連結された２つのブリスターストリップ、或いはブリスターストリップ及び硬質部によって提供され得る。
【００３１】
フリップ式のカバーが設けられる場合、カバーは、シートを折り畳まれた状態に保持するための封止手段を適切に備える。適切な封止手段は、英国特許第２　２６３　８８５号に開示されており、この開示は参照によりここに援用される。
【００３２】
第一の組をなす複数の折り目は、好適にはアコーディオン式の折り目の組である。
第一の組をなす複数の折り目は、折り畳み式シートを一列の複数の区画の形状にし得る。
【００３３】
折り畳み式シート材料は、第二の組をなす複数の折り目をさらに有していてもよく、第二の組をなす複数の折り目は、シートが折り畳まれた状態のときに、第一の組をなす複数の折り目と交差する。この第二の組をなす複数の折り目は好適には、アコーディオン式の折り目の組からなる。
【００３４】
第一の組をなす複数の折り目は好適には奇数個の折り目を有する。第二の折り目は好適には偶数個の折り目を有する。
折り目の組の少なくとも１つは、先細型など平行でなくてもよい。或いは、シートが折り畳まれたときに、硬質部の少なくとも１つは外側部分でないことがある。好適な実施形態においては、シートは矩形であり、２つの折り目の組は、互いに直交し、かつ対応する端部と平行である。また、硬質部は、第一の組をなす複数の折り目及び第二の組をなす複数の折り目によって折り畳まれたときにシートの外側にあり、角部のそれぞれ対応した区画と少なくとも同じ大きさを有する。
【００３５】
ブリスターストリップ凹部は、シートが折り畳まれた状態のときに、シートの内側又は外側に位置し得る。
折り畳み式シートが列をなす複数の区画を有する場合、硬質部は、折り畳み式シートの末端の区画に適切に設けられる。
【００３６】
折り畳み式シートが第一の組をなす複数の折り目及び第二の組をなす複数の折り目とを有する場合、硬質部は、折り畳み式シートの角部にある区画に適切に設けられる。
【００３７】
硬質部は、好適には折り畳まれたときにシートの外側に設けられる。
硬質部は好適には間にブリスターストリップの少なくとも一部を挟むための第一の領域及び第二の領域からなる。
折り畳み式シートは、硬質部の第一の領域及び第二の領域の少なくともいずれかに付着され得る。別法として、或いはこれに加えて、折り畳み式シートは、硬質部のさらに別の領域に付着され得る。
【００３８】
好適には硬質部の上記の２つの領域は、ほぼ同じ大きさを有する。しかし、硬質部の同領域の大きさは異なっていてもよい。
好適には上記硬質部の第一の領域は、同領域が付着されるシートの区画と少なくとも同じ大きさを有する。
【００３９】
上記第二の領域は、好適にはブリスターストリップを硬質部の第一の領域に付着する。
硬質部の第一の領域及び第二の領域は、別の要素によって提供され得るが、好適には同第一の領域及び第二の領域は、単一の要素によって提供され、かつ折り線によって互いに区切られている。
【００４０】
折り畳み式シートは、硬質部の一方の面に付着され、ブリスターストリップは、硬質部の他方の面に付着されることがある。
硬質部は、折り畳み式シートが付着される第二硬質部を有し得る。好適には第三の領域は第一の領域に付着される。しかし、第三の領域は、第二の領域に付着されることもある。第二硬質部は、好適にはさらに別の折り目によって第一硬質部から区切られている。
【００４１】
好適にはブリスター包装体を覆うためのカバー部が提供される。好適にはカバー部はさらに別の硬質部を有する。
好適には折り畳み式シートが第一硬質部に設けられ、ブリスター包装体が第二硬質部に設けられ、カバー部は第三硬質部である。
【００４２】
硬質部は、好適には折り畳み可能に連結される。好適には第一硬質部は第二硬質部及び第三硬質部の間にあり、これによって、第二硬質部が折り畳み式シートの上に折り畳まれ、かつ第三硬質部が第二硬質部の少なくとも一部を覆うことが可能となる。
【００４３】
第三硬質部の一部は、好適には第二の部分に付着される。好適には第二の部分に付着されている第三の部分の一部は、第三の部分の別の一部に着脱自在に連結され、好適にはミシン目によって、第三硬質部の残りの部分から、第三硬質部に付着された一部を分離することによって、ブリスター包装体を利用できるようになる。
【００４４】
留め具手段は、好適には第二硬質部及び第三硬質部の舌状部とスロット（この用語にはスリットも含まれる）との構造物によって提供され得る。好適には舌状部は第三硬質部上にあり、かつスロットは第二硬質部上にある。第三硬質部の付着された部分を残りの部分から除去することによって舌状部が提供される。
【００４５】
硬質部のいずれの領域も、複数の折り線によって区切られ得る。好適には複数の折り線は互いに平行である。
硬質部が折り線を中心として折り畳まれたときに硬質部の１つの領域と別の領域の間に背が設けられるように、複数の折り目が使用され得る。製品に付着されたブリスターストリップの厚みに対処するため、背に幅を付与することが可能である。背の幅は、ブリスターストリップの厚みによって決定され得る。背の幅は、好適には折り線の一番外側の折り線同士の間の幅であって、ブリスターストリップの厚みとほぼ対応する。
【００４６】
硬質部の第二の領域は、少なくとも１つの開口部をその中に適切に備える。硬質部の第二の領域にある開口部は、ブリスターストリップが硬質部に付着されている場合に、ブリスターストリップ凹部を収容するように適切に形成される。
【００４７】
第二の領域は、ブリスターストリップの１つの凹部を収容することに適した大きさを各々有する複数の開口部を備え得る。
第二の領域は、ブリスターストリップの複数の凹部を収容することに適した大きさの少なくとも１つの開口部を有し得る。
【００４８】
硬質部の第二の領域にある開口部は、ブリスターストリップ凹部の形状に対応する形状を有する。別法として、硬質部の第二の領域の開口部は、星型形状などの斬新な形状を有することもある。
【００４９】
第二の領域は、ブリスターストリップ凹部と凹部の間に少なくとも１つの分割体を提供し得る。１つ以上の分割体の各々は、ブリスターストリップ凹部の横列又は縦列の少なくともいずれかを区切るように形成され得る。
【００５０】
好適には硬質部はミシン目を備える。同ミシン目は好適には、ブリスターストリップに付着されたときに、同ブリスターストリップのカバーシート凹部の開口部の位置と対応する。
【００５１】
第一の領域は、少なくとも１つの切り取り領域を有し、同切り取り領域は、ブリスターストリップに付着されたときに、ブリスターストリップのカバーシート凹部の開口部の位置と対応する。第一の領域は、ブリスターストリップ凹部の開口部と開口部の間に少なくとも１つの分割体を提供し得る。１つ以上の分割体の各々は、ブリスターストリップ凹部の開口部の横列又は縦列の少なくともいずれかを区切り得る。
【００５２】
第一硬質部にあるミシン目と切り取り領域との少なくともいずれかは、ブリスターストリップから製品を容易に取り出し可能であるように配置され得る。
ミシン目と切り取り領域との少なくともいずれかは、硬質部に、円形や矩形などの適切な形状を有する開口部を画定し得る。ミシン目は、ほぼＸの形状をなすものでもよい。好適にはミシン目と切り取り領域との少なくともいずれかによって画定される開口部は、凹部の開口部にほぼ相当する寸法を有する。
【００５３】
ブリスターストリップの各凹部に対して、単一のミシン目付きの部分と切り取り領域との少なくともいずれかが提供され得る。別法として、ブリスターストリップの複数の凹部に対して、単一の切り取り領域とミシン目付きの部分との少なくともいずれかが提供され得る。
【００５４】
当業者には明白なように、第二の領域にある開口部、及び（ 又は）第一の領域の切り取り領域又はミシン目付きの部分は、硬質部上にブリスターストリップを配置する際の誤差を許容するために、凹部又は凹部の開口部よりもわずかに大きな寸法を各々有する。
【００５５】
本発明の好適な実施形態を使用する際には、ブリスターストリップは、硬質部の第一の領域の面に位置する。好適には次に、第二の領域は、第一の領域上に折り畳まれ、ブリスターストリップの隆起部が、第二の領域の少なくとも１つの開口部に収容され、第一の領域及び第二の領域が互いに付着されるようになる。
【００５６】
第一の領域及び第二の領域は、接着剤などの適切な任意の手段によって互いに付着され得る。大気に触れると変色するのりなど、改ざん防止接着剤を使用し得る。第一の領域と第二の領域とは、ヒートシールを使用して相互に付着され得る。
【００５７】
折り畳み式シートが硬質部の第三の領域に位置する場合、第三の領域は、第一の領域及び第二の領域の上に適切に折り畳まれる。この場合、ブリスターストリップの隆起部は、硬質部の第三の領域によって適切に覆われる。この後、第三の領域は、ブリスターストリップをある程度保護するようになる。折り畳み式シートは、第三の領域が第一の領域及び第二の領域の上に折り畳まれるときに、製品の内側又は外側に位置し得る。
【００５８】
硬質部に封止手段が設けられ、同封止手段は、第一硬質部の上に折り畳まれる位置に第二硬質部を固定するように配置される。任意の適切な封止手段（上記の英国特許第２　２６３　８８５号など）を使用し得る。
【００５９】
硬質部は、同硬質部に複数のブリスターストリップを付着されるように配置され得る。
硬質部は、３つ以上の領域を有し得る。
硬質部の複数の領域は、好適には長手方向に互いに接して配置される。
本発明の第二の態様によると、少なくとも第一の組をなす複数の折り目と、シートの１つの区画にある硬質部とを有する折り畳み式シートからなる折り畳み式シート製品が提供される。硬質部は、この硬質部の少なくとも一部を除去することによって形成可能な舌状部を備え、この一部は、破断可能部分によって舌状部から切り離される。
【００６０】
破断可能部分は、硬質部の脆弱体によって形成されることが望ましく、好適には脆弱体はミシン目によって提供される。
本発明の第三の態様によると、第一の組をなす複数の折り目と、折り畳み式シートの周りにシール可能なカバーを形成している硬質部とを有する折り畳み式シートを備え、改ざん防止機能をさらに備える折り畳み式シート製品が提供される。
【００６１】
改ざん防止機能は、好適にはシール可能なカバーを有し、これによって、シールの破損が可視的となる。
製品を開封するために、好適にはカバーの一部が同カバーの他の部分から分離可能である。
【００６２】
好適にはブリスター包装体を覆うためのカバー部が設けられている。カバー部は好適にはさらに別の硬質部を有する。
好適には折り畳み式シートが第一硬質部に設けられ、ブリスター包装体が第二硬質部に設けられ、カバー部は第三硬質部である。硬質部は、好適には折り畳み可能に連結されている。好適には第一硬質部は第二硬質部と第三硬質部との間にあり、これによって、第二硬質部が折り畳み式シートの上に折り畳まれ、かつ第三硬質部が第二硬質部の少なくとも一部を覆うことが可能となる。
【００６３】
第三の部分の一部は、好適には第二の部分に付着される。第二の部分に付着された第三の部分の一部は、好適には第三の部分の別の一部に着脱自在に連結されており、好適にはミシン目によって、第三硬質部の付着された部分を残りの部分から、第三硬質部に付着された一部を分離することによって、ブリスター包装体を利用できるようになる。
【００６４】
留め具手段は、第二硬質部及び第三硬質部の舌状部並びに溝の構造物であり得る。舌状部は、好適には第三硬質部上にあり、溝は第二硬質部上にある。好適には第三硬質部の付着された部分を残りの部分から除去することによって舌状部が提供される。
【００６５】
本発明は、錠剤の医薬品においてとりわけ有用である。しかし、本発明が応用されるのは医薬品に限らず、ブリスターストリップに保存され、ブリスターストリップから取り出される製品（例えば、宣伝を目的とした製品サンプル）であれば何にでも使用することができる。
【００６６】
情報提供用のリーフレットがブリスターストリップ内の製品に同当するものであることを保証するために、シート及びブリスターストリップに対応するバーコードを取り付け得る。この場合、製品の組み立て中に、バーコード読み取り機を使用してバーコードの一致を確認して、一致する場合にのみ製品を組み立てるようにすることも可能である。
【００６７】
本発明の別の利点は、情報提供用のリーフレットがブリスターストリップの一部であるか、又はブリスターストリップに付着されており、場合によっては別のパッケージが不要となることにある。つまり、製品又はサンプルの製造が容易になり、かつ製造コストが低減できる。
【００６８】
ただし、組み立て後に、収縮包装又は箱へのパッケージングなどのパッケージングが完成品に対して行なわれることがある。
本発明を例示のみを目的として、添付の図面を参照しつつ詳述する。
（好適な実施形態の詳細な説明）
図１〜４に、本発明による折り畳み式シート製品２の第１の実施形態を示す。
【００６９】
図１〜４の折り畳み式シート製品２は、第一硬質部を提供する折り畳み式シート３、ブリスターストリップ４、第二硬質部６、第一の組をなす複数の折り目１０（図３に破線で表示）、及び第二の組をなす複数の折り目１２（図３に点線で表示）からなる。
【００７０】
硬質部は、折り畳み式シート３に比べて材質が相対的に堅い。
第一の組をなす複数の折り目１０及び第二の組をなす複数の折り目１２は、いずれもアコーディオン式の折り目の組を有する。
シート３は紙素材である。
ブリスターストリップ４は、シート３の角部区画１４に位置する。第二硬質部は、シート３の角部区画１６に位置する。角部区画１４，１６は、対角線上にて対向するシート３の角部区画である。
【００７１】
図４から明確に見て取れるように、ブリスターストリップ４は、複数の凹部２０を有するカバーシート１８からなる。凹部の開口部を覆っているブリスターストリップ４の基材は、ブリスターストリップ４が位置する、シート３の区画１４によって提供される。図３の破線は、凹部２０の位置を示す。この場合、凹部２０を内側に押すことにより、凹部２０の内部に収容されている製品（図示せず）を取り出せるように、折り畳み式シート材料３は容易に破断する必要がある。
【００７２】
図５，６に、本発明の第２の実施形態を示す。
図５，６に示された折り畳み式シート製品３０は、折り畳み式シート３１、硬質部を提供するブリスターストリップ３２、及び第一の組をなす複数の折り目３３（破線で表示）からなる。
【００７３】
ブリスターストリップ３２は複数の凹部３６を備え、ブリスターストリップ３２の基材は、ブリスターストリップ３２が設けられているシート３８の区画によって提供される。
【００７４】
この場合、シートはミシン目４０（破線で表示）を有し、このミシン目は、図６に示す凹部３６の開口部（点線で表示）の位置に対応している。このため、凹部の内部に収容されている製品（図示せず）を取り出すために凹部３６を内部に押すと、相当するミシン目４０が破断し製品が取り出される。
【００７５】
図７に、本発明による折り畳み式シート製品５０の第３の実施形態を示す。
図７の折り畳み式シート製品５０は、折り畳み式シート５１、第一硬質部５２、第二硬質部５４及びブリスターストリップ５６からなる。折り畳み式シート５１は、少なくとも第一の組をなす複数の折り目５８を備えており、第二の組をなす複数の折り目（図示せず）を備え得る。
【００７６】
ブリスターストリップ５６は、製品（図示せず）が位置する複数の凹部６２を有するカバーシート６０を備える。ブリスターストリップ５６は、凹部６２を内側に押すことにより、凹部６２の内部に収容されている製品（図示せず）を取り出せるように、容易に破断する（すなわち破れる）基材６４をさらに備える。
【００７７】
この場合、第一硬質部５２は、凹部６２を内側に押すことにより、凹部６２の内部に収容されている製品を取り出せるように、容易に破断する（すなわち破れる）材質からなる。図６に示した実施の形態に関して前述したように、別法として、硬質部が凹部６２の開口部に相当するミシン目を備えていることもある。
【００７８】
図８に、折り畳み式シート７２、ブリスターストリップ７４及び硬質部７６を備える、本発明による折り畳み式シート製品７０を示す。
折り畳み式シート製品７０のブリスターストリップ７４は、折り畳まれた状態ではシートの内側に位置する。硬質部７６は、折り畳み式シート７２の外側に位置し、これによってシート７２のカバーが提供される。
【００７９】
図８に示すように、折り畳み式シート製品７０は第二硬質部７８（図８の破線で表示）を備えている。折り畳み式シート製品７０が折り畳まれた状態では、第二硬質部はシート７２の外側に位置する。第二硬質部７８はまた、折り畳み式シート製品７０が折り畳まれた状態でシート７２のカバーを提供する。
【００８０】
図９に、本発明の第５の実施形態による折り畳み式シート製品９０を示す。
折り畳み式シート製品９０は、第一のアコーディオン式の折り目の組を有する折り畳み式シート９２、第一硬質部９４、第二硬質部９５及びブリスターストリップ９６を有する。
【００８１】
第一硬質部９４は、折り目９８によって第二硬質部９５と区切られている。ブリスターストリップは凹部１００を備える。
折り畳んだ状態の硬質部９４，９５（硬質部の区画を形成している）は、折り線９８を中心として折り畳まれ、折り畳み式シート９２のカバーを提供している。この実施の形態では、ブリスターストリップ９６は、第二硬質部９５の内面に位置する。
【００８２】
別法による実施形態（図示せず）においては、ブリスターストリップ９６は、硬質部９５の外面に位置する。
図１０に、図９の折り畳み式シート製品９０の別法による実施形態を示す。この実施の形態においては、ブリスターストリップ９６は、折り畳み式シート９２の末端の区画１０２の外面に位置する。別法による実施形態（図示せず）においては、ブリスターストリップ９６が折り畳み式シート９２の末端の区画１０２の内面に位置することもある。
【００８３】
さらに、硬質部９４は、背９９を画定している２本の折り線９８ａ，９８ｂを備える。硬質部９４，９５は、折り線９８ａ，９８ｂを中心として折り畳まれ、折り畳み式シート９２及びブリスターストリップ９６を収容するカバーを提供する。
【００８４】
図１１に、図１０の実施の形態の別法による構成を示す。この図面において、同一の部材番号は同一の要素を表している。図１１の実施の形態は硬質部９４，９５を備え、同硬質部は、折り畳み式シート９２及び硬質部９４，９５の幅が狭いほうの辺と平行な折り線９８ａ，９８ｂを有する。硬質部９４，９５は、折り目９８ａ，９８ｂによってフリップ式のカバーを提供する。
【００８５】
図１２に、図５，６に示した実施の形態の変形例を示す。この図面において、同一の要素は同一の部材番号によって表されている。
図５，６に示した実施の形態と同様に、図１２に示した折り畳み式シート製品３０は、折り畳み式シート３１及びブリスターストリップ３２とを備え、硬質部及び第一の組をなす複数の折り目３３（破線で表示）を提供する。
【００８６】
ブリスターストリップ３２は、複数の凹部３６（点線で表示）を有するカバーシート３４を備える。ブリスターストリップの基材は、ホイルシート３７によって提供される。
【００８７】
図１２のシート製品３０は、図６のミシン目４０に代わり、凹部３６の開口部の位置に対応する切り取り領域３９を備える。凹部３６の列は、分割体４１によって区切られている。凹部３６を内側に押すと、ホイルが破断し、破断したホイル基材３７を通り、かつシートの領域３９の切り口を通って製品が開口部から外に出る。
【００８８】
図１３に、本発明による第６の実施形態である折り畳み式シート製品１００を示す。
折り畳み式シート製品１００は、第一のアコーディオン式の折り目の組１０２及び第二の折り目１０４の内部に折り畳み式シート１０１を備える。折り畳み式シート製品１００は、第一硬質部１０６と、折り線１０８によってここに折り畳み可能に連結された第二硬質部１０７とを備え、図１３に示すように、折り線は、硬質部１０６，１０７のほぼ中心にあり、硬質部１０６の短い端部とほぼ平行である。折り畳み式シート製品１００は、硬質部１０７の区画１１２の外面に付着されたブリスターストリップ１１０をさらに備える。
【００８９】
折り畳み式シート製品１００のシート１０１は、折り畳んだ状態においては、アコーディオン式の折り目の組１０２によって折り畳まれ、折り線１０４に沿って半分に折り畳まれる。折り畳み式シート１０１の各横列の隣接する末端の区画は、対応する硬質部１０６，１０７の各々の区画に付着される。このため、シート１０１が折り線１０４に沿って半分に折り畳まれると、硬質部は折り線１０８に沿って半分に折り畳まれる。
【００９０】
硬質部１０６，１０７は、折り畳んだ状態では、折り畳み式シート１０１のカバーを提供する。製品を折り畳んだ状態に保持するための適切な封止手段が、折り畳み式シート製品１００に設けられることがある。
【００９１】
この実施の形態においては、ブリスターストリップ１１０は、第二硬質部１０７の外面上の凹部（図示せず）に位置する。しかし、折り畳み式シート材料１００の適切な任意の場所にブリスターストリップ１１０を設けることがある。
【００９２】
折り畳み式シートを展開するために、硬質部１０６，１０７は折り線１０８を中心として展開される。これによって、シート１０１が折り線１０４を中心として展開される。次に、シート１０１の自由端１１６を矢印Ａが示す向きに引っ張ることによって、シート１０１がシートアコーディオン式の折り目の組１０２を中心として展開される。
【００９３】
図１４に、折り畳み式シート製品１２０を示す。この製品は、第一硬質部１２２、第二硬質部１２４、折り畳み式シート１２６、ブリスターストリップ１２８及びポケット１３０を備える。
【００９４】
ポケット１３０は、切り取り領域１３４を有するカバー部１３２を備える。ポケット１３０はまた、ベース部分（図示せず）を備え得、同ベース部分は、切り取り領域１３４に相当する切り取り領域（図示せず）を必要とする。
【００９５】
ブリスターストリップ１２８は凹部１３６を有し、図面に示すように、ブリスターストリップ１２８がポケット１３０に挿入されると、凹部１３６は切り取り領域１３４から隆起する。
【００９６】
凹部１３６に収容されている製品を取り出せるようにする一方で、ブリスターストリップ１２８をポケット１３０に入れた状態に保つために、切り取り領域１３４に相当する切り取り領域（図示せず）に、第二硬質部１２４が設けられることがある。第二硬質部１２４がシート１２６の区画に付着されている場合、相当する切り取り領域がシートに提供されていなければならないことがある。別法として、第二硬質部１２４及び（又は）シート１２６が、凹部１３６の開口部（図示せず）に対応するミシン目付きの領域（図示せず）を備え得る。
【００９７】
ブリスターストリップ１２８は、開口部１３８を介してポケット１３０に挿入される。ブリスターストリップ１２８の凹部１３６から製品を全て取り出したら、開口部１３８を介してブリスターストリップ１２８がポケット１３０から取り出され、代替のストリップ１２８がポケット１３０に挿入され得る。
【００９８】
折り畳み式シート材料１２０から第二硬質部１２４を省略することも可能である。この場合、ポケット１３０又は折り畳み式シート１２６、或いはブリスターストリップ１２８は、第二硬質部の代用として用いられることがある。
【００９９】
ポケット１３０の少なくともカバー部１３２は、ブリスターストリップ１２８を挿入又は除去ができるのに十分変形可能であって、使用時にブリスターストリップ１２８をポケット１３０の内部に保持できる材質で構成される。
【０１００】
ポケット１３０の開口部１３８は、ブリスターストリップ１２８がポケット１３０から偶発的に除去されるのを防ぐ封止手段（図示せず）を備えていることがある。
【０１０１】
図１５に、第一硬質部１４８に付着された折り畳み式シート１４０を備える折り畳み式シート製品１４２を示す。第一硬質部１４８は、第一の領域１４４及び第二の領域１４６からなる第二硬質部１４３に折り畳み可能に連結されている。
【０１０２】
図１６に示すように、第二の領域１４４はブリスターストリップ１５０の収容に適している。
第二の領域１４６は、ブリスターストリップ１５０の凹部１５４の収容に適した複数の開口部１５２を備える。
【０１０３】
第二硬質部１４３の第一の領域１４４は、折り線１５６（破線で表示）によって第二の領域１４６から区切られている。第二硬質部１４３の第一の領域１４４は、２つの平行な折り線１５８，１６０（同様に破線で表示）によって第一硬質部１４８から区切られている。
【０１０４】
図１５〜１７に示す製品の使用時に、ブリスターストリップ１５４は、第二硬質部１４３の第一の領域１４４に設けられる。次に、第一の領域１４４の上に第二の領域１４６が重ね合わされるように、折り線１５６に沿って折り畳まれることにより、第二硬質部１４３が組み立てられる。第二の領域１４６の開口部１５２は、第二の領域１４６が第一の領域１４４の上に重ね合わされたら、ブリスターストリップ凹部１５４を収容するように配置される。第一の領域は、ヒートシールによって第二の領域に接着され、これによって第二硬質部１４３の上にブリスターストリップ１５０が付着され、同時に間接的に折り畳み式シート１４０に付着される。
【０１０５】
次に、図１７に矢印Ａで示すように、第一硬質部１４８は、第一の領域１４４及び第二の領域１４６が一体となった第二硬質部１４３の上に折り畳まれる。折り線１５８，１６０の対は、第三の領域１４８と、第一の領域１４４及び第二の領域１４６との間にある程度の間隙を提供して、折り畳まれたときに第三の領域１４８が凹部１５４の上に平らに横たわるように背１５９を形成する。折り線１５８，１６０の間隔は、凹部１５４の深さに相当し、これに折り畳み式シートの厚み分の余裕を許容する。
【０１０６】
図１８に図１５〜１７の製品を示すが、硬質部１４８と、硬質部１４２の領域１４４，１４６，１４８とが異なって配置されている。図１８に示された製品は、狭い製造用のコンベヤを使用できるという点で、図１５〜１７の製品よりも製造上の利点を備えている可能性がある。
【０１０７】
図１９，２０に、本発明の別法による実施の形態を示す。この図において、カバー１７０は、折り畳み可能に連結された第一硬質部１７２、第二硬質部１７３及び第三硬質部１７５を各々備える。第二硬質部１７３は、第一の領域１７４及び第二の領域１７６からなる。第三硬質部１７５は、第三の領域１７８及び第四の領域１８０からなる。
【０１０８】
折り畳み式シート１８２は、第一硬質部１７２に付着されている。図２０に示すように、第一の領域１７４及び第三の領域１７８は、それぞれ対応するブリスターストリップ１８４，１８６を収容するのに適している。
【０１０９】
第二の領域１７６及び第四の領域１８０は、ブリスターストリップ１７４，１７８の凹部１９２，１９４をそれぞれ収容するのに適した開口部１８８，１９０を各々備える。
【０１１０】
使用時に、ブリスターストリップ１８４，１８６は、硬質部１７３，１７５の第一の領域１７４及び第三の領域１７８の上にそれぞれ位置する。
次に、硬質部１７０は、折り線１９６（破線で表示）を中心として折り畳まれ、第二の部分１７６が第一の部分１７４の上に重ね合わされる。ブリスターストリップ１８４を硬質部１７３に付着するために、第一の領域１７６と第三の領域１７４とが接着される。
【０１１１】
同様に、第四の領域１８０は、折り線１９８を中心として折り畳まれることによって、第三の領域１７８に付着される。
次に、第一の領域と第二の領域、並びに第三の領域と第四の領域は、平行な折り線の対２００，２０２を中心に折り畳むことによって、第一硬質部１７２の上に折り畳まれる。
【０１１２】
図１９，２０には、ブリスターストリップ１８４，１８６が、硬質部１７３，１７５の同じ側に配置されている製品が示されているが、ブリスターストリップ１８４，１８６が硬質部１７３，１７５の対向する面の上に配置されていてもよい。第一の領域１７４と第二の領域１７６、並びに第三の領域１７８と第四の領域１８０もまた、第一硬質部１７２の対向する面の上に折り畳まれてもよい。
【０１１３】
図２１〜２４に、折り畳み式シート２１０を備える折り畳み式シート製品２０９を示す。折り畳み式シート２１０は、このシートの１つの区画に付着されている第一硬質部２１２と、このシートの別の区画に付着されている第二硬質部２１４とを有する。
【０１１４】
第二硬質部２１４は、この部分から延び、折り線２１８によってこの部分から区切られている突縁部２１６を備える。ブリスターストリップ２２０の端部は、突縁部２１６によって第二硬質部２１４の端部に付着されている。
【０１１５】
図２２，２３は、ブリスターストリップ２２０が付着されていない状態の図２１の製品の平面図である。図２２において、折り線２１８は破線で表されている。
【０１１６】
図２５に、折り畳み式シート２３０を示し、同シートは、このシートの区画に付着されている第一硬質部２３２を有する。第一硬質部２３２は、第二硬質部２３６に折り畳み可能に連結されており、硬質部２３２，２３６は、２つの折り目２４０，２４２によって形成された背２３８により区切られている。
【０１１７】
基材２４６及びカバー２４８を備えるブリスターストリップ２４４の対向する端部は、突縁部２５０，２５２によって第二硬質部２３６の対応する端部に各々付着されている。突縁部２５０，２５２は、ブリスターストリップ２４８の基材２４６の延長部であり、折り線２５４，２５６によってブリスターストリップから区切られている。
【０１１８】
図２６は、図２６のブリスターストリップ２４４を展開した状態の平面図である。突縁部２５０は、破線で示される切取線２５８を有し、ブリスターストリップ２４４の一方の端を硬質部２３２，２３６から取り外すための手段を提供している。
【０１１９】
図２７に、折り畳み式シート２６２の区画に付着されている第一硬質部２６０、折り畳み式シート２６２の別の区画に付着されている第二硬質部２６４、タブ２６６及びブリスターストリップ２６８を備える製品を示す。
【０１２０】
タブ２６６は、折り線２７０に沿って折り畳まれる。第一の領域は、第二硬質部２６４に付着され、第二の領域は、ブリスターストリップ２６８に付着されている。
【０１２１】
図２８Ａ〜２８Ｆに、本発明のさらなる実施の形態による折り畳み式シート製品２８０を示す。製品２８０は、第二硬質部２８４に折り畳み可能に連結され、かつ第三硬質部２８６に折り畳み可能に連結されている第一硬質部２８２を備える。折り線は、間隔を調整する背により各々の硬質部を区切っており、ブリスター包装体及び折り畳み式シートの厚み分の余裕が与えられている。
【０１２２】
第一硬質部２８２は、第一の切取り部２８８及び第二の切取り部２９０を備える。切取り部２８８，２９０は、第一硬質部２８２の一部を形成するが、第一硬質部の舌状部２９６を有する第一硬質部の舌状部２９４が得られるように、ミシン目２９２によって切り離し可能に連結されている。
【０１２３】
二重アコーディオン式の折り畳み式シート２９８は、第二硬質部２８４に付着されている。
ブリスター包装体３００は、第三硬質部２８６に付着されており、同第三硬質部は、図１５〜１８に関して前述した２つの折り畳み可能に連結された領域からなる。第三硬質部２８６はまた、舌状部２９６を収容するためのスロットつまりスリット３０２を備える。
【０１２４】
使用時に、ミシン目付きの部分２８８，２９０が切り離されて舌状部２９６が形成され、舌状部２９６をスロット３０２に挿入することで、パッケージが再度封印される。その後、図に示すように製品を開封することができる。
【０１２５】
別法として、ミシン目付きの部分２８８，２９０が第三硬質部２８６に付着され（つまり接着され）、舌状部分２９４を第三硬質部２８６から切り離して、製品を開封してブリスター包装体３００を利用できるようにすることがある。この方法は、ブリスター包装体３００に改ざん防止封入を提供でき、かつ使用前にブリスター包装体が破断するのを防止できるため、さらなる利点を有する。
【０１２６】
読者の注意は、本明細書に関連した全ての文献及び文書に喚起される。これらは、本明細書と関連して、本明細書と同時に発行されたか、或いは本明細書に先立って発行され、かつ公衆の検証のために本明細書と共に開示された。全てのこの種の文献及び文書の内容は、参照によりここに援用される。
【０１２７】
添付の特許請求の範囲、要約、図面も含め、本明細書に開示された全ての特徴、及び（又は）上記の如く開示されたいかなる方法又は工程の全てのステップは、これらの特徴及び（又は）ステップの少なくとも一部が相互に排他的となる組み合わせを除き、任意の組み合わせで組み合わせ得る。
【０１２８】
特段の断わりのない限り、添付の特許請求の範囲、要約、図面も含め、本明細書に開示されている各特徴は、同一、同等又は類似の目的に供する別法による特徴に置き換えられ得る。したがって、開示されている各特徴は、特段の断わりのない限り、代替の特徴又は類似の特徴の、一般的な集合体に過ぎない。
【０１２９】
本発明は、前述の実施の形態の詳細に限定されない。本発明は、添付の特許請求の範囲、要約、図面のいずれも含め本明細書に開示されている特徴、並びに本願に開示されているいかなる方法又は工程のステップの新しいもの、又は新しいものの組み合わせのいずれにも拡張される。
【図面の簡単な説明】
【図１】本発明による折り畳み式シート材料の、折り畳んだ状態の第１の実施形態を示す平面図。
【図２】部分的に展開した状態の図１のシートを示す平面図。
【図３】展開した状態の図１，２のシートを示す図。
【図４】折り畳んだ状態の図１〜３のシートを示す側面図。
【図５】本発明による折り畳み式シート材料の、ほぼ展開した状態の第２の実施形態を示す正面図。
【図６】図５のシートの背面図。
【図７】本発明による折り畳み式シート材料の、折り畳んだ状態の第３の実施形態を示す側面図。
【図８】本発明の第４の実施形態を示す側面図。
【図９】本発明によるシートの、部分的に展開した状態の第５の実施形態を示す斜視図。
【図１０】図９の折り畳み式シート材料の別法による実施形態を示す図。
【図１１】図１０の折り畳み式シート材料の別法による実施形態を示す図。
【図１２】図５，６の折り畳み式シートの変形例の実施形態を示す図。
【図１３】本発明による折り畳み式シート材料の、部分的に展開した状態の第６の実施形態を示す斜視図。
【図１４】本発明による折り畳み式シート材料の、折り畳んだ状態の第７の実施形態を示す斜視図。
【図１５】本発明による折り畳み式シートの第８の実施形態を示す斜視図。
【図１６】上部にブリスターストリップが設けられた状態の図１５の実施形態を示す斜視図。
【図１７】部分的に折り畳んだ状態の図１６の実施の形態を示す斜視図。
【図１８】図１５の実施形態の別法による構成を示す斜視図。
【図１９】本発明の第９の実施形態を示す斜視図。
【図２０】上部に複数のブリスターストリップが設けられた図１９の実施の形態を示す斜視図。
【図２１】本発明の第１０の実施形態の側面図。
【図２２】一部を展開した状態の、図２１の実施の形態を示す平面図。
【図２３】折り畳んだ状態の、図２１の製品の平面図。
【図２４】図２１の製品の平面図。
【図２５】本発明の第１１の実施形態の側面図。
【図２６】一部を展開した状態の、図２５の製品の平面図。
【図２７】本発明の第１２の実施形態の側面図。
【図２８Ａ】本発明の第１３の実施形態の斜視図。
【図２８Ｂ】本発明の第１３の実施形態の斜視図。
【図２８Ｃ】本発明の第１３の実施形態の斜視図。
【図２８Ｄ】本発明の第１３の実施形態の斜視図。
【図２８Ｅ】本発明の第１３の実施形態の斜視図。
【図２８Ｆ】本発明の第１３の実施形態の斜視図。
【国際公開パンフレット】
2004502981.tif 000003
2004502981.tif 000004
2004502981.tif 000005
2004502981.tif 000006
2004502981.tif 000007
2004502981.tif 000008
2004502981.tif 000009
2004502981.tif 000010
2004502981.tif 000011
2004502981.tif 000012
2004502981.tif 000013
2004502981.tif 000014
2004502981.tif 000015
2004502981.tif 000016
2004502981.tif 000017
2004502981.tif 000018
2004502981.tif 000019
2004502981.tif 000020
2004502981.tif 000021
2004502981.tif 000022
2004502981.tif 000023
2004502981.tif 000024
2004502981.tif 000025
2004502981.tif 000026
2004502981.tif 000027
2004502981.tif 000028
2004502981.tif 000029
2004502981.tif 000030
2004502981.tif 000031
2004502981.tif 000032
2004502981.tif 000033
2004502981.tif 000034
2004502981.tif 000035
2004502981.tif 000036
2004502981.tif 000037
2004502981.tif 000038
2004502981.tif 000039
2004502981.tif 000040
2004502981.tif 000041
2004502981.tif 000042
2004502981.tif 000043
2004502981.tif 000044
2004502981.tif 000045
2004502981.tif 000046
2004502981.tif 000047
2004502981.tif 000048
2004502981.tif 000049
2004502981.tif 000050
2004502981.tif 000051
2004502981.tif 000052
2004502981.tif 000053
2004502981.tif 000054
2004502981.tif 000055
2004502981.tif 000056
2004502981.tif 000057
2004502981.tif 000058
2004502981.tif 000059
2004502981.tif 000060
2004502981.tif 000061
2004502981.tif 000062
2004502981.tif 000063
2004502981.tif 000064
2004502981.tif 000065
2004502981.tif 000066
2004502981.tif 000067
2004502981.tif 000068
2004502981.tif 000069
2004502981.tif 000070
【国際公開パンフレット（コレクトバージョン）】
2004502981.tif 000071
2004502981.tif 000072
【国際調査報告】
2004502981.tif 000073
2004502981.tif 000074
2004502981.tif 000075
2004502981.tif 000076
2004502981.tif 000077